(57)【要約】【課題】従来よりも調光の種類が多い照明器具付き天井扇風装置を提供すること。【解決手段】室内を照らすための第１の光源を含む照明器具と、回転動作を行う回転機構部と、回転機構部に交換可能に取り付けられる羽根と、を有する照明器具付き天井扇風装置において、羽根は、第２の光源と、第２の光源に電源を供給する電源部と、を具備している。【選択図】図１
2008091201.tif 000002
【特許請求の範囲】
【請求項１】
室内を照らすための第１の光源を含む照明器具と、
回転動作を行う回転機構部と、
前記回転機構部に交換可能に取り付けられる羽根と、を有する照明器具付き天井扇風装置において、
前記羽根は、
第２の光源と、
前記第２の光源に電源を供給する電源部と、を具備していることを特徴とする照明器具付き天井扇風装置。
【請求項２】
請求項１に記載の天井扇風装置において、
前記羽根は、
前記第２の光源の動作を示す制御信号を受信する受信部と、
前記受信部から入力される前記制御信号に基づいて前記第２の光源を制御する制御部と、を具備していることを特徴とする照明器具付き天井扇風装置。
【請求項３】
請求項１または請求項２に記載の照明器具付き天井扇風装置において、
前記羽根は、
前記電源部から前記第２の光源に電源を供給するか否か切り替えるためのスイッチ、を具備していることを特徴とする照明器具付き天井扇風装置。
【請求項４】
請求項１ないし請求項３のいずれかに記載の照明器具付き天井扇風装置において、
前記第２の光源は複数のＬＥＤ、または有機ＥＬであることを特徴とする照明器具付き天井扇風装置。
【請求項５】
請求項４に記載の照明器具付き天井扇風装置において、
前記制御部は、
前記複数のＬＥＤを発光させる数を制御することを特徴とする照明器具付き天井扇風装置。
【発明の詳細な説明】
【技術分野】
【０００１】
本発明は、室内の空気を循環させるための天井扇風装置に照明器具が設けられた照明器具付き天井扇風装置に関する。
【背景技術】
【０００２】
従来、天井扇風装置（シーリングファン）には、例えば特許文献１に記載されているように照明器具と一体化されたものがある。
【０００３】
図３は、従来の照明器具付き天井扇風装置の一例を示す構成図である。このうち図３（ａ）は、商用電源から電源が供給される本体を示すブロック図である。一方、図３（ｂ）は風を発生させるための羽根を示す概略図である。
【０００４】
図３に示すように、従来の照明器具付き天井扇風装置は、照明器具の光源である光源１と、回転動作を行うモータ２と、光源１またはモータ２の動作を示す制御信号を受信するための受信部３と、入力される制御信号に応じて光源１またはモータ２の動作を制御する制御部４と、風を発生させるための羽根５と、を有する。
【０００５】
光源１は、例えば複数の電球、または蛍光灯などで構成されている。
【０００６】
モータ２は、制御部４の制御内容に基づいて回転動作を行う。制御部４の制御内容には、例えば回転数または回転方向が含まれる。
【０００７】
受信部３は、例えばリモコン送信器から発信される制御信号を受信し、制御部４へ出力する。この制御信号には、光源１またはモータ２の動作が示されている。なお、光源１の動作には、例えば点灯、消灯、または調光が含まれる。一方、モータ２の動作には、例えば回転数の変更、または回転方向の左右の切り替えが含まれる。
【０００８】
制御部４は、受信部３を介して入力される制御信号に応じて光源１またはモータ２を制御する。
【０００９】
羽根５は通常、複数枚で構成され、それぞれがモータ２に取り付けられている。そして、モータ２の回転に連動して風を発生させることによって、室内の空気を循環させる。
【００１０】
図４は従来の照明器具付き天井扇風装置が室内の天井に設置された状態を示す模式図である。
【００１１】
従来の照明器具付き天井扇風装置は、通常は天井に設けられている商用電源を供給するためのコネクタ（不図示）に接続される。光源１およびモータ２は、このコネクタを介して電源が供給される。そして、天井から見た場合、羽根２が取り付けられたモータ２の下側に光源１が固定された状態で配置されている。
【特許文献１】特開２００５−１５５５５８号公報
【発明の開示】
【発明が解決しようとする課題】
【００１２】
天井扇風装置に照明器具を一体化しただけでは、光源が照明器具にのみ存在し、調光の種類が限定されてしまうという問題がある。
【００１３】
本発明は、上述したような問題を解決するためになされたものであり、従来よりも調光の種類が多い照明器具付き天井扇風装置を提供することを目的とする。
【課題を解決するための手段】
【００１４】
上記目的を達成するための本発明の照明器具付き天井扇風装置は、
室内を照らすための第１の光源を含む照明器具と、
回転動作を行う回転機構部と、
前記回転機構部に交換可能に取り付けられる羽根と、を有する照明器具付き天井扇風装置において、
前記羽根は、
第２の光源と、
前記第２の光源に電源を供給する電源部と、を具備している。
【００１５】
また、前記羽根は、
前記第２の光源の動作を示す制御信号を受信する受信部と、
前記受信部から入力される前記制御信号に基づいて前記第２の光源を制御する制御部と、を具備していることとしてもよい。
【００１６】
また、前記羽根は、
前記電源部から前記第２の光源に電源を供給するか否か切り替えるためのスイッチ、を具備していることとしてもよい。
【００１７】
また、前記第２の光源は複数のＬＥＤ、または有機ＥＬであることとしてもよい。
【００１８】
また、前記制御部は、
前記複数のＬＥＤを発光させる数を制御することとしてもよい。
【００１９】
本発明によれば、回転機構部連動して風を発生させるための羽根に光源が設けられている。また、この光源に供給する電源は、回転機構部および照明器具に供給する電源とは電気的に独立して羽根のそれぞれに設けられている。
【発明の効果】
【００２０】
光源が照明器具以外に羽根にも設けられるため、この光源を制御することにより、調光の種類が増加する。また、羽根の回転に連動する光を利用して、光を演出することが可能となる。さらに、光源および光源に供給する電源が一対になって設けられているため、羽根を交換して多種多様な調光および光の演出を行うことが可能となる。
【発明を実施するための最良の形態】
【００２１】
本実施形態の照明器具付き天井扇風装置の構成について説明する。
【００２２】
図１は、本実施形態の照明器具付き天井扇風装置の一例を示す構成図である。このうち図１（ａ）は、商用電源から電源が供給される本体を示すブロック図である。一方、図３（ｂ）は風を発生させるための羽根を示す概略図である。
【００２３】
図１に示すように、本実施形態の照明器具付き天井扇風装置は、照明器具の光源である光源６と、回転動作を行う回転機構部７と、光源６または回転機構部７の動作を示す制御信号を受信するための受信部８と、入力される制御信号に応じて光源６または回転機構部７の動作を制御する制御部９と、光源が設けられている羽根１０と、を有する。
【００２４】
光源６は、従来の照明器具付き天井扇風装置に具備されたものと同様なため、ここでは、その構成および動作についての詳細な説明を省略する。
【００２５】
回転機構部７は、制御部９の制御内容に基づいて回転する。制御部９の制御内容には、例えば回転数または回転方向が含まれる。回転機構部７の構成には、例えばモータが含まれる。また、羽根１０の取り付けおよび取り外しが可能である接続部が設けられている。
【００２６】
受信部８は、例えばリモコン送信器から発信される制御信号を受信し、制御部９へ出力する。この制御信号には、光源６または回転機構部７の動作が示されている。なお、回転機構部７の動作には、例えば回転数の変更、または回転方向の左右の切り替えが含まれる。
【００２７】
制御部９は、受信部８から入力される制御信号が光源６の動作を示す場合、光源６に制御信号に基づいた動作を実行させる。また、回転機構部７の動作を示す場合、回転機構部７に制御信号に基づいた動作を実行させる。
【００２８】
羽根１０は、光源であるＬＥＤ（Ｌｉｇｈｔ  Ｅｍｉｔｔｉｎｇ  Ｄｉｏｄｅ）１０と、ＬＥＤ１１の動作を制御するためのＬＥＤ制御部１２と、外部から発信される制御信号を受信するための受信部１３と、ＬＥＤ１１に電源を供給するためのＬＥＤ用電源部１４と、を有する。また、回転機構部７に取り付けられ、回転に連動して風を発生させることによって、空気を循環させる。
【００２９】
ＬＥＤ１１は、複数個で構成され、羽根１０の一面に配置されている。なお、発光色は特に限定されるものではないが、複数の色を出力できることが望ましい。
【００３０】
ＬＥＤ制御部１２は、入力される制御信号に基づいてＬＥＤ１１を制御する。制御信号には、例えば点灯、消灯、または発光色の調整を含むＬＥＤ１１の動作が示されている。なお、制御信号は、例えばリモコン送信器から発信され、この制御信号を受信するための受信部１３を介して入力されるものとする。
【００３１】
ＬＥＤ用電源部１４は、光源６および回転機構部７に電源を供給する商用電源とは接続されていない。すなわち、商用電源とは電気的に独立した電源である。ＬＥＤ用電源部１４の構成には、例えば電池が含まれる。
【００３２】
図２は、本実施形態の照明器具付き天井扇風装置が室内の天井に設置された状態を示す模式図である。
【００３３】
本実施形態の照明器具付き天井扇風装置は、通常は室内の天井に設けられている商用電源を供給するためのコネクタ（不図示）に接続される。光源６および回転機構部７は、このコネクタを介して電源が供給される。そして、天井から見た場合、羽根１０が取り付けられた回転機構部７の下側に光源６が固定された状態で配置されている。なお、光源６の配置場所は、回転機構部７の下側に限定されず、例えば回転機構部７の上側であってもよい。
【００３４】
次に、本実施形態の照明器具付き天井扇風装置の動作について説明する。なお、ここでは、本実施形態の照明器具付き天井扇風装置は、室内の天井に設置されているものとする。
【００３５】
本実施形態の照明器具付き天井扇風装置は、制御部９に入力される制御信号に応じて、光源６および回転機構部７が制御信号に基づいた動作を実行する。このようにして、室内の明るさや温度を調整する。
【００３６】
また、ＬＥＤ制御部１２に入力される制御信号に基づいて、ＬＥＤ１１がこの制御信号に示された動作を実行する。
【００３７】
このとき、ＬＥＤ１１を羽根１０において室内を直接的に照らす向きに配置すると、ＬＥＤ１１が光源６に加えて新たな光源となり、室内をより明るくする。一方、ＬＥＤ１１を天井または壁を照らす向きに配置すると、ＬＥＤ１１を間接照明の光源として室内を照らす。
【００３８】
また、例えば複数個配置されているＬＥＤ１１を発光させる数を制御して、明るさを調整する。この場合、光源６で行う場合に加えて新たな調光方法となる。
【００３９】
さらに、ＬＥＤ１１が点灯しているときに羽根１０を回転させて、光の演出を行う。
【００４０】
本実施形態の照明器具付き天井扇風装置は、上述したように、回転機構部に取り付けられて回転する羽根に光源を設けている。また、この光源に供給する電源を、回転機構部および照明器具に供給するための電源とは電気的に独立した状態で羽根に設けている。
【００４１】
光源が照明器具以外に羽根にも設けられるため、この光源を制御することにより、調光の種類が増加する。また、羽根の回転を利用して、光を演出することが可能となる。この場合、光源および光源を動作させるための電源が一対になって設けられているため、羽根を交換して多種多様な光の演出を行うことも可能となる。
【００４２】
なお、羽根に設けられる光源はＬＥＤに限定されるものでなく、例えば有機ＥＬ（Ｅｌｅｃｔｒｏｌｕｍｉｎｅｓｃｅｎｃｅ）を用いることとしてもよい。
【００４３】
また、羽根に設けられた光源に電源を供給するか否か切り替えるためのスイッチを設けてもよい。そうすると電源が電池の場合、光源を使用しないときに電力が消費されないため長期間使用することが可能となる。
【図面の簡単な説明】
【００４４】
【図１】本発明の照明器具付き天井扇風装置の一例を示す構成図であり、（ａ）は本体、（ｂ）は羽根である。
【図２】本発明の照明器具付き天井扇風装置が室内の天井に設置された状態を示す模式図である。
【図３】従来の照明器具付き天井扇風装置の一例を示す構成図であり、（ａ）は本体、（ｂ）は羽根である。
【図４】従来の照明器具付き天井扇風装置が室内の天井に設置された状態を示す模式図である。
【符号の説明】
【００４５】
１、６        光源
２            モータ
３、８、１３  受信部
４、９        制御部
５、１０      羽根
７            回転機構部
１１          ＬＥＤ
１２          ＬＥＤ制御部
１４          ＬＥＤ用電源部
１５          天井
【図１】
2008091201.tif 000003
【図２】
2008091201.tif 000004
【図３】
2008091201.tif 000005
【図４】
2008091201.tif 000006